(57)【要約】【課題】カートリッジ位置決め基準とトラバースメカの位置決め基準が異なる場合でも、双方の相対位置ずれを最小にする。【解決手段】筐体（１０）に貫通孔（４３）を有する緩衝部材（４２）を介して支持されたベース部材（２０）と、ディスク（２）を装着して回転させる回転手段（２１，２２）と、ディスク（２）に情報を記録・再生する記録再生手段（２３）と、ディスク（２）を内包したカートリッジ（３）を保持して、装置外方からディスク（２）が回転手段に装着される記録・再生位置まで搬送する搬送手段（３０）と、カートリッジ（３）を記録・再生位置に位置決めする位置決め部材（４０）とを備える。筐体（１０）に位置決め部材（４０）を立設し、位置決め部材（４０）を貫通孔（４１）に挿通させることで緩衝部材（４２）を介してベース部材（２０）を位置決め部材（４０）に取り付ける。【選択図】図１
2006302430.tif 000002
【特許請求の範囲】
【請求項１】
筐体に、貫通孔を有する緩衝部材を介して支持されたベース部材と、前記ベース部材に取り付けられ、ディスク状媒体を装着して回転させる回転手段と、前記ベース部材に取り付けられ、前記ディスク状媒体に情報を記録・再生する記録再生手段と、前記ディスク状媒体を内包したカートリッジ部材を保持して、装置外方から前記ディスク状媒体が前記回転手段に装着される記録・再生位置まで搬送する搬送手段と、前記カートリッジ部材を前記記録・再生位置に位置決めする位置決め部材とを備えたディスク装置において、
筐体に前記位置決め部材を立設し、前記位置決め部材を前記貫通孔に挿通させることで前記緩衝部材を介して前記ベース部材を前記位置決め部材に取り付けると共に、前記記録・再生位置において前記位置決め部材が前記搬送手段を貫通してこの搬送手段および前記カートリッジ部材を位置決めすることを特徴とするディスク装置。
【発明の詳細な説明】
【技術分野】
【０００１】
本発明は、カートリッジを所定の記録・再生位置に位置決めした状態で、カートリッジに内包されたディスクを回転させて、ディスクに情報を記録・再生するディスク装置に関するものである。
【背景技術】
【０００２】
従来の一般的なディスク装置は、図４に示すように構成されていた。すなわち、トラバースメカ１２０は、外装部（筐体）１１０から起立したスタッド１５０に対し、緩衝部材１５２を介して取り付けられている。スタッド１５０は少なくとも３本から構成されているが、一般的には４本のスタッド１５０で構成されていることが多い。
【０００３】
一方、内部にディスク１０２を回転自在に保持するカートリッジ１０３を固定できるディスク装置１０１の一般的な形状は、トラバースベースから起立（図４では筐体１１０から起立）した一対のアライメントピン１４０の先端がカートリッジ１０３の位置決め穴に嵌入し、ディスク１０２と平行な平面上での位置が決まる。また、高さに関してはトレイ１３０の高さあるいは別途トラバースベースから起立した高さ位置決め部材により高さ位置が決まるようになっていた。
【特許文献１】実開昭６１−７６５４７号公報
【発明の開示】
【発明が解決しようとする課題】
【０００４】
しかしながら、上記のような従来のディスク装置には、次のような課題があった。
【０００５】
すなわち、従来のディスク装置では、カートリッジの位置決め基準とトラバースメカの位置決め基準が別であり、その相対位置がずれると、カートリッジ内部のディスクが正規の位置からずれてしまい、ディスク外周がカートリッジ内壁に干渉するという問題があった。
【０００６】
本発明は、上記課題を解決するために為されたものであり、カートリッジの位置決め基準とトラバースメカの位置決め基準が異なる場合でも、双方の相対位置ずれを最小にすることのできるディスク装置を提供することを目的とする。
【課題を解決するための手段】
【０００７】
本発明の請求項１に係るディスク装置は、筐体に、貫通孔を有する緩衝部材を介して支持されたベース部材と、前記ベース部材に取り付けられ、ディスク状媒体を装着して回転させる回転手段と、前記ベース部材に取り付けられ、前記ディスク状媒体に情報を記録・再生する記録再生手段と、前記ディスク状媒体を内包したカートリッジ部材を保持して、装置外方から前記ディスク状媒体が前記回転手段に装着される記録・再生位置まで搬送する搬送手段と、前記カートリッジ部材を前記記録・再生位置に位置決めする位置決め部材とを備えたディスク装置において、筐体に前記位置決め部材を立設し、前記位置決め部材を前記貫通孔に挿通させることで前記緩衝部材を介して前記ベース部材を前記位置決め部材に取り付けると共に、前記記録・再生位置において前記位置決め部材が前記搬送手段を貫通してこの搬送手段および前記カートリッジ部材を位置決めすることを特徴とするものである。
【発明の効果】
【０００８】
本発明は以上のように、筐体に、貫通孔を有する緩衝部材を介して支持されたベース部材と、前記ベース部材に取り付けられ、ディスク状媒体を装着して回転させる回転手段と、前記ベース部材に取り付けられ、前記ディスク状媒体に情報を記録・再生する記録再生手段と、前記ディスク状媒体を内包したカートリッジ部材を保持して、装置外方から前記ディスク状媒体が前記回転手段に装着される記録・再生位置まで搬送する搬送手段と、前記カートリッジ部材を前記記録・再生位置に位置決めする位置決め部材とを備えたディスク装置において、筐体に前記位置決め部材を立設し、前記位置決め部材を前記貫通孔に挿通させることで前記緩衝部材を介して前記ベース部材を前記位置決め部材に取り付けると共に、前記記録・再生位置において前記位置決め部材が前記搬送手段を貫通してこの搬送手段および前記カートリッジ部材を位置決めするように構成したので、カートリッジの位置決め基準とトラバースメカの位置決め基準が異なる場合でも、双方の相対位置ずれを最小にすることができる効果がある。
【発明を実施するための最良の形態】
【０００９】
以下、本発明の実施の形態を、図１〜図３を参照して説明する。  
図１〜図３は、本発明によるディスク装置の一実施形態を示し、図１は全体の斜視図、図２は縦断面図、図３は要部の平面図であり、他の部分は省略してある。
【００１０】
このディスク装置１は、筐体（ローディングメカ）１０と、筐体１０に支持されたベース部材（トラバースメカ）２０と、ディスク（光ディスク）２を内包したカートリッジ３を保持して搬送する搬送手段（トレイ）３０と、カートリッジ３を所定位置に位置決めする位置決め部材（スタッド）４０とを備えている。
【００１１】
トラバースメカ２０には、ディスク２を装着して回転させる回転手段（スピンドルモータ２１およびターンテーブル２２）と、ディスク２に情報を記録・再生する記録再生手段（光学式ピックアップ）２３と、光学式ピックアップ２３がディスク２の半径方向に移動する際にガイドする一対のガイドシャフト２４と、ガイドシャフト２４に沿って光学式ピックアップ２３を移動させる移動手段（ピックアップ駆動手段）２５とを備えるが、これらは公知であるため詳細な説明は省略する。
【００１２】
ローディングメカ１０の前方底面には、カートリッジ３の位置決め部材となる一対のスタッド４０が起立して設けられている。これらのスタッド４０は、所定高さに段部４１を備えている。
【００１３】
スタッド４０は、カートリッジ３を位置決めするだけでなく、トラバースメカ２０を、外部振動から絶縁するため貫通孔４３を有するほぼ円筒状の緩衝部材（インシュレータ）４２を介して、ローディングメカ１０に取り付けるものである。
【００１４】
すなわち、トラバースメカ２０のスタッド４０に相当する位置には、スタッド４０の直径よりもひとまわり大きい穴４４が形成されている。この穴４４に、インシュレータ４２を嵌め込んでその外周所定位置に穴４４の内周縁を係合させることで、トラバースメカ２０にインシュレータ４２を一体に取り付ける。
【００１５】
このようにしてトラバースメカ２０に一体に取り付けたインシュレータ４２の貫通孔４３を、スタッド４０にその上方から挿通させると、インシュレータ４２の下面がスタッド４０の段部４１に当接した高さで、インシュレータ４２が位置決めされる。
【００１６】
図１に示すように、トラバースメカ２０をローディングメカ１０に対して上方から落とし込むように組み立てることで、スタッド４０の段部４１にインシュレータ４２が位置決めされ、これにより、トラバースメカ２０がインシュレータ４２およびスタッド４０を介してローディングメカ１０に支持される。
【００１７】
このようにしてトラバースメカ２０は２点で高さ位置と水平位置が定められるが、トラバースメカ２０は少なくとも３点、またはそれ以上で支持される必要がある。そのため、図１に示すように、ローディングメカ１０の後方底面から別途起立したスタッド５０にトラバースメカ２０は支持される。この場合も、スタッド５０とトラバースメカ２０は、緩衝部材（インシュレータ）５２を介して固定されることが好ましい。
【００１８】
カートリッジ３を所定位置に位置決めする位置決め部材としてのスタッド４０は、上記のようにローディングメカ１０から起立して設ける代わりに、トラバースメカ２０から起立して構成することも可能である。
【００１９】
ところが、カートリッジ３のばたつきを抑えるために、カートリッジ３を上方からばねなどで付勢する場合が多い。このような場合は、カートリッジ３に付与する付勢力が原因でトラバースメカ２０に直接荷重が作用するため、トラバースメカ２０の変形につながり好ましくない。
【００２０】
したがって、トラバースメカ２０から起立したスタッド４０によりカートリッジ３が位置決めされる構成に比べて、上記のようにローディングメカ１０から起立したスタッド４０によりカートリッジ３が位置決めされる構成の方が優れているといえる。
【００２１】
一方、カートリッジ３内のディスク２の位置決めは、トラバースメカ２０上のスピンドルモータ２１と同軸のターンテーブル２２により固定される。したがって、カートリッジ３の位置決めの基準とディスク２の位置決めの基準が異なるが、トラバースメカ２０がローディングメカ１０に対して、カートリッジ３の位置決めをするスタッド４０を用いて位置決めをしているため、双方の位置ずれを最小限に抑えることができる。
【００２２】
また、カートリッジ３をユーザが投入する位置から記録・再生を行う位置まで搬送する手段としてのトレイ３０は、通常は薄い樹脂製の箱型形状のものであり、ディスク２の回転振動によりばたつくことが予想される。
【００２３】
スタッド４０はトレイ３０に設けられた穴３１を貫通し、カートリッジ３の位置決め穴にはまる。このとき、トレイ３０の裏側の穴付近に緩衝部材（インシュレータ）３２を貼り付けておき、トレイ３０が記録・再生位置に位置決め固定されると、ローディングメカ１０とトラバースメカ２０を接合しているインシュレータ４２と密着し、その振動を和らげることができる。
【００２４】
このディスク装置１は、上記のように構成したので、カートリッジの位置決め基準とトラバースメカの位置決め基準が異なる場合でも、双方の相対位置ずれを最小にすることができる。
【００２５】
また、このディスク装置１は、カートリッジ３を上方から付勢する構成と、カートリッジ３とローディングメカ１０の相対の位置決めを両立することができる。
【００２６】
さらに、このディスク装置１は、カートリッジ３を搬送するトレイ３０の記録・再生位置での振動成分を抑えることができる。
【図面の簡単な説明】
【００２７】
【図１】本発明によるディスク装置の一実施形態を示す斜視図である。
【図２】図１のディスク装置の縦断面図である。
【図３】図１のディスク装置の要部の平面図である。
【図４】従来のディスク装置の一例を示す縦断面図である。
【符号の説明】
【００２８】
１  ディスク装置
２  ディスク（光ディスク）
３  カートリッジ
１０  筐体（ローディングメカ）
２０  ベース部材（トラバースメカ）
２１  回転手段（スピンドルモータ）
２２  回転手段（ターンテーブル）
２３  記録再生手段（光学式ピックアップ）
２４  ガイドシャフト
２５  移動手段（ピックアップ駆動手段）
３０  搬送手段（トレイ）
３１  穴
３２  緩衝部材（インシュレータ）
４０  位置決め部材（スタッド）
４１  段部
４２  緩衝部材（インシュレータ）
４３  貫通孔
４４  穴
５０  スタッド
５２  緩衝部材（インシュレータ）
【図１】
2006302430.tif 000003
【図２】
2006302430.tif 000004
【図３】
2006302430.tif 000005
【図４】
2006302430.tif 000006